【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
ブロック変換を用いて処理された画素データのデブロッキングのための方法であって、
ブロック・トランジションの両側に位置する少なくとも２つの画素のクロマ・レベルを示す信号の各々を受信するステップ（４１２）と、
前記少なくとも２つの画素のクロマ・レベルの間の距離測度を計算するステップ（４１４）と、
前記距離測度と少なくとも１つの閾値とを比較するステップ（４１６）と、
前記比較ステップに応答して前記ブロック・トランジションにおける前記少なくとも２つの画素を含む複数の隣接する画素に対し、条件付きフィルタをかけるステップ（４２２）とを含む方法。
【請求項２】
前記距離測度に応答してかけられるデブロッキング・フィルタの強度を選択するステップ（４２０）を更に含む、請求項１に記載の方法。
【請求項３】
前記ブロック・トランジションの各側に条件付きフィルタをかける画素が、約４つ存在し、前記画素が、前記ブロック・トランジションに交差するラインに沿って位置する、請求項１に記載の方法。
【請求項４】
前記少なくとも１つの閾値の値が、約１である、請求項１に記載の方法。
【請求項５】
前記条件付きフィルタをかけるステップが、トランジションに隣接する各画素に対して別個に行われ、前記トランジションにおける全ての画素が、閾値の範囲外にあるブロックに対してのみフィルタをかけることが省略される、請求項１に記載の方法。
【請求項６】
前記少なくとも２つの画素のうちの少なくとも１つを含む複数の隣接する画素を平均化するステップを更に含み、与えられたクロマ・レベル信号が、前記複数の隣接する画素のクロマ・レベルの平均を示す、請求項１に記載の方法。
【請求項７】
前記トランジションにおける平均クロマが、前記閾値の範囲外にあるブロックに対してのみフィルタをかけることが省略される、請求項６に記載の方法。
【請求項８】
前記条件付きフィルタをかけることが、ラインに基づいて行われる、請求項１に記載の方法。
【請求項９】
前記条件付きフィルタをかけることが、ブロックに基づいて行われる、請求項１に記載の方法。
【請求項１０】
前記画素データを複数のブロック変換係数としてエンコードするステップと、
フィードバック・ループ内で前記画素データを条件付きでデブロッキングするステップとを更に含む、請求項１に記載の方法。
【請求項１１】
前記画素データを複数のブロック変換係数からデコードするステップと、
フィードバック・ループ内で前記画素データを条件付きでデブロッキングするステップとを更に含む、請求項１に記載の方法。
【請求項１２】
前記画素データを複数のブロック変換係数からデコードするステップと、
フィードバック・ループの後に前記画素データを条件付きでデブロッキングするステップとを更に含む、請求項１に記載の方法。
【請求項１３】
量子化パラメータを受信するステップと、
前記量子化パラメータの値が、約２５未満である場合のみ条件付きフィルタをかける、請求項１に記載の方法。
【請求項１４】
画素データを複数のブロック変換係数としてエンコードするエンコーダ（１００）であって、前記エンコーダが、クロマ距離測度基準を満たすブロック・トランジションのみにフィルタをかける条件付きデブロッキング・フィルタ（１４０）を備えるエンコーダ。
【請求項１５】
前記条件付きデブロッキング・フィルタが、
ブロック・トランジションの両側に位置する少なくとも２つの画素のクロマ・レベルを示す信号の各々を受信する受信手段と、
前記少なくとも２つの画素の前記クロマ・レベルの間の距離測度を計算する計算手段と、
前記距離測度と少なくとも１つの閾値とを比較する前記計算手段に応じた比較手段と、
比較に応答して前記ブロック・トランジションにおける前記少なくとも２つの画素を含む複数の隣接する画素に対して条件付きフィルタをかける前記比較手段に応じたフィルタ手段とを含む、請求項１４に記載のエンコーダ。
【請求項１６】
前記条件付きデブロッキング・フィルタが、前記距離測度に応答してかけられるデブロッキング・フィルタの強度を選択するフィルタ強度手段を更に含む、請求項１５に記載のエンコーダ。
【請求項１７】
再構成された画素データを生成するためにエンコードされたブロック変換係数をデコードするデコーダ（２００、３００）であって、クロマ距離測度基準を満たすブロック・トランジションのみにフィルタをかける条件付きデブロッキング・フィルタ（２４０、３４０）を備えるデコーダ。
【請求項１８】
前記条件付きデブロッキング・フィルタが、
ブロック・トランジションの両側に位置する少なくとも２つの画素のクロマ・レベルを示す信号の各々を受信する受信手段と、
前記少なくとも２つの画素の前記クロマ・レベルの間の距離測度を計算する計算手段と、
前記距離測度と少なくとも１つの閾値とを比較する前記計算手段に応じた比較手段と、
比較に応答して前記ブロック・トランジションにおける前記少なくとも２つの画素を含む複数の隣接する画素に対して条件付きフィルタをかける前記比較手段に応じたフィルタ手段とを含む、請求項１７に記載のデコーダ。
【請求項１９】
前記条件付きデブロッキング・フィルタが、前記距離測度に応答してかけられるデブロッキング・フィルタの強度を選択するフィルタ強度手段を更に含む、請求項１８に記載のデコーダ。
【請求項２０】
前記条件付きデブロッキング・フィルタが、動き補償の間のデブロッキングのためにフィードバック・ループ内に位置する、請求項１７に記載のデコーダ。
【請求項２１】
前記条件付きデブロッキング・フィルタが、動き補償の後のデブロッキングのためにフィードバック・ループの後に位置する、請求項１７に記載のデコーダ。
【手続補正２】
【補正対象書類名】明細書
【補正対象項目名】発明の名称
【補正方法】変更
【補正の内容】
【発明の名称】クロマ・デブロッキングのための方法およびビデオコーデック
【手続補正３】
【補正対象書類名】明細書
【補正対象項目名】０００６
【補正方法】変更
【補正の内容】
【０００６】
（発明の概要）
従来技術のこれらの欠点や短所、また、その他の欠点や短所を解決するべく、クロマ・デブロッキング・フィルタのためのシステムおよび方法が提供される。
【手続補正４】
【補正対象書類名】明細書
【補正対象項目名】００１４
【補正方法】変更
【補正の内容】
【００１４】
ＩＴＵ‐Ｔ（国際電気通信連合  電気通信標準化部門）勧告Ｈ．２６３ビデオ圧縮規格では、処理に使用される特定のデブロッキング・フィルタの強度は、所定のマクロブロックをエンコードするのに使用される量子化パラメータに依存している。提案されているＩＴＵ−Ｔ勧告Ｈ．２６４｜ＩＳＯ／ＩＥＣ（国際標準化機構／国際電気標準会議）１４４９６−１０  ＡＶＣ  ビデオ圧縮規格（「Ｈ．２６４／ＡＶＣ」）では、トランジションにフィルタをかけるかどうかや処理に使用されるフィルタの強度を決定するのに幾つかのファクター（要因）が使用される。これらのファクターとして、ブロックがイントラ符号化（ｉｎｔｒａ−ｃｏｄｅｄ）されたものであるのか、またはインター符号化（ｉｎｔｅｒ−ｃｏｄｅｄ）されたものであるのか、ブロック内にゼロでない係数が存在しているか、エッジ（ｅｄｇｅ：端部）にかかる各ブロックにおける動きベクトルの差の度合い、エッジにかかる各画素の値の差の度合いが挙げられる。初めの３つのファクターは、デブロッキングを行う前に計算されるブロックをベースとする基準である。４番目のファクターは、実際の輪郭にぼけが生ずることを回避できるような画素のレベルで計算した基準を含んだものである。しかしながら、従来のアプローチには、ローパス・フィルタによる効果が得られないほどの小さいギャップを有するクロマ・エッジに対してフィルタをかけることを回避するための基準を含むことを考慮したものは存在しない。
【手続補正５】
【補正対象書類名】明細書
【補正対象項目名】００３３
【補正方法】変更
【補正の内容】
【００３３】
本発明の実施の形態は、カラー・画像をデブロッキングするのに必要な計算の数をエッジに交差する画素クロマ成分の値の間の距離測度の最低度合いについての条件を設定することにより低減している。１つの例示的な距離測度は、数学的差分であるが、関連する技術分野の当業者であれば、用途に応じた設計基準を満たす別の距離測度を考えることができるであろう。ギャップが非常に小さく、スムーズにするためのフィルタにより大きな変化が得られないようなクロマ・トランジションは全て、デブロッキング・フィルタが省略される。この基準は、以下のように表される。
距離（クロマ値（ｐ０）−クロマ値（ｑ０））＞ｄｍｉｎ
閾値ｄｍｉｎの値は、デブロッキング・フィルタをかけるのに必要な最小のクロマ・ギャップを表す。色信号の二つのクロマ成分が共にフィルタをかけられた場合、画素Ｐ０およびＱ０の各クロマ値の間の単一のベクトル距離が計算される。色信号の二つのクロマ成分に対してフィルタを別々にかけた場合、この基準は、別個の処理において、１次元距離により、各成分に対して適用される。